(57)【要約】【課題】墓石に既設の防風筒なしろうそく立てに着脱自在に後付けでき、メンテナンス性に優れた墓用ろうそく立ての提供を目的とする。【解決手段】墓石に既設されている既設ろうそく立て基台に連結する連結具と、連結具に着脱自在に設けた防風筒からなることを特徴とする墓用ろうそく立て。【選択図】  図１
0003142054.tif 000002
【実用新案登録請求の範囲】
【請求項１】
墓石に既設されている既設ろうそく立て基台に連結する連結具と、連結具に着脱自在に設けた防風筒からなることを特徴とする墓用ろうそく立て。
【請求項２】
連結具は既設ろうそく立て基台を呑み込む中空部と、既設ろうそく立て基台の裏側に廻り込む連結ピンとを有していることを特徴とする請求項１記載の墓用ろうそく立て。
【請求項３】
連結具は、さらに防風筒の下部に挿入する挿入部と、挿入した防風筒を固定する固定具とを有していることを特徴とする請求項２記載の墓用ろうそく立て。
【請求項４】
防風筒の内側に位置し、且つ前記連結具の上部に載置するためのろうそく立てカップを有していることを特徴とする請求項１〜３のいずれかに記載の墓用ろうそく立て。
【考案の詳細な説明】
【技術分野】
【０００１】
この考案は墓用のろうそく立てに関し、特に墓石に埋め込み固定されている既設のろうそく立て（防風筒の無いタイプ）に着脱できるろうそく立てに係る。
【背景技術】
【０００２】
これまでの多くの墓には、図１に点線で示したような防風筒のない単純形状のろうそく立てが墓石に埋め込み固定されている場合が多い。
近年、ろうそくに火を灯した際に、風で火が消えないように筒状の防風筒を有するろうそく立てに対する需要が増大している。
しかし、これから新規にお墓を建てる場合はともかく、すでに、墓石に図１に点線で示したタイプのろうそく立てが設けられている場合、新たな防風筒付きろうそく立てに置き替えるためには、この墓石にアンカービンやアンカーボルトで埋め込み固定してあるろうそく立てを撤去しなければならなかった。
従来の一般的なろうそく立ては、溶け落ちるろうを受け止めるための、受け部２ｂを有する小さなおわん状のろうそく立て基台２ｃの裏側に墓石１に埋め込むための支柱又はボルト状の埋め込み部２ａを有していることから、このろうそく立てを撤去するには埋め込み部２ａを墓石１から抜き取らなければならない。
ところが、埋め込み部２ａが墓石にモルタル等で埋め込み固定されているために、抜き取る際に墓石にキレツや割れが生じてしまうという技術的課題があった。
また、墓石は年数を経るにつれて、風雪により色合いが変化するものであり、ろうそく立ての部分のみの墓石を取り替えると、周囲の既設の墓石と色が合わなくなる問題もあった。
【０００３】
実開平５−４１０１４号には、墓石に固定する短円柱状の基台と、この基台に着脱自在に設けられた筒状体からなるろうそく立てを開示するが、この公報に開示するろうそく立てにおいても基台は新規に墓石に埋め込み固定するものであり、既設のろうそく立てに後付けできるものではない。
【０００４】
【特許文献１】実開平５−４１０１４号公報
【考案の開示】
【考案が解決しようとする課題】
【０００５】
この考案は、墓石に既設の防風筒なしろうそく立てに着脱自在に後付けでき、メンテナンス性に優れた墓用ろうそく立ての提供を目的とする。
【課題を解決するための手段】
【０００６】
この考案に係る墓用ろうそく立ては、墓石に既設されている既設ろうそく立て基台に連結する連結具と、連結具に着脱自在に設けた防風筒からなることを特徴とする。
連結具は、連結具は既設ろうそく立て基台を呑み込む中空部と、既設ろうそく立て基台の裏側に回り込む連結ピンとを有しているのが好ましい。
連結具は、連結具は、さらに防風筒の下部に挿入する挿入部と、挿入した防風筒を固定する固定具を有しているとよい。
【０００７】
上記に説明した考案は、既設のろうそく立て基台をそのままろうそく立てとして使用する場合であるが、請求項４に記載の考案は、ろうそく立ての根元部に溶け落ちたろうを取り除く洗浄がしやすいようにしたもので、防風筒の内側に位置し、且つ前記連結具の上部に載置するためのろうそく立てカップを有していることを特徴とする。
【考案の効果】
【０００８】
この考案に係る墓用のろうそく立てにおいては、既設のろうそく立て基台に連結する連結具と、この連結具に着脱自在な防風筒を有しているので、必要なときに既設のろうそく立てに連結できるので、すでに設けられている一般的なろうそく立てをそのまま使用し、容易に後付けできる。
また、連結具を取り外すことでろうそくの使用後の清掃もしやすい。
【０００９】
連結具に、既存のろうそく立て基台の裏側に廻り込む連結ピンを有していると、連結ピンの先端が上記基台の裏側に廻り込むように締め込む、あるいは挿入するだけで連結固定でき、逆に連結ピンを緩めたり、抜き取るだけで墓石から後付ろうそく立てを取り外すことができる。
また、連結具の中空部に仮に雨水が溜まった場合には、連結具を少し持ち上げるようにするだけで雨水を外に流し出すこともできる。
【００１０】
この考案において、防風筒の内側に位置し、連結具の上部に載置するためのろうそく立てカップを有している場合には、溶け落ちたろうはこのカップの内側に溜まるので防風筒を取り外すだけで、このカップを持ち上げて裏返し清掃ができる効果がある。
【考案を実施するための最良の形態】
【００１１】
本考案に係るろうそく立てを以下図面に基づいて説明するが本考案の内容は本実施例に限定されるものではない。
図１は後付けのろうそく立てを墓石１に設けてある既設ろうそく立て基台２に取り付ける手順を示し、図２は連結具１０部分の拡大図を示し、図３は防風筒２０の嵌合部２１付近の拡大図を示す。
図１に示した既設ろうそく立て基台２は例として従来の一般的な防風筒のないろうそく立てを表したもので、これに限定するものではなく、この種の小さな「おわん」形のろうそくた立てに後付けできることを示す。
既設ろうそく立て基台２は、裏側に設けた棒状の埋め込み部２ａにて墓石１に埋め込み固定されているものが多い。
ろう受け部２ｂの外形２ｃの径よりもやや大きい内径の中空部１１を有する連結具１０を製作する。
図１では、連結具１０を下側の連結ベース部１０ａと防風筒２０の下端の嵌合部２１を挿入する挿入部１０ｂとの二段形状となっている。
なお、連結具１０の下側が既設ろうそく立て基台２を呑み込むようになっていれば、このような２段形状のリング状に限定するものではない。
【００１２】
連結具１０は図２に示すように、連結ベース部１０ａの内側に形成した中空部１１にて既設ろうそく立て基台２を呑み込むように、上から墓石１に載置し、連結ピン１２を締め込んで連結ピン１２の先端１２ｂが既設ろうそく立て基台２の裏側に廻り込むようになっている。
本実施例では連結ピン１２をビス状にして連結ベース部１０ａに設けたメネジ１２ａに螺合する構造になっているが、連結ピン１２を差し込む構造でもよい。
【００１３】
防風筒２０は、風でろうそくが倒れたり、消燈するのを防止するためのもので各種形状のものを採用でき、図１にその一例を示す。
防風筒２０は、下部に連結具１０の挿入部１０ｂに挿入嵌合する嵌合部２１と、ろうそくに酸素（空気）を供給する通気口２３を有し、その上にガラスや透光性の樹脂部材で製作した防風部材２２を有している。
防風筒２０の上部は支持部材２６等で固定した笠部２５を有している。
図１に示した実施例では、防風筒のの上部に着火口２４を設けて、ここからろうそくに火を付けることができるようになっている。
図３に嵌合部２３の固定方法を示す。
嵌合部２３は、連結具１０の挿入部１０ｂに挿入できるようになっていて、上下方向の係合開口部２１ａと、それから水平方向に切り込んだ係止孔２１ｂをＬ字型に有している例になっている。
本実施例では、固定具１３を連結具１０に螺合しておき、固定具１３を緩めた状態で防風筒２０の係止孔２１ｂに廻し込み、固定具１３を締め付ける例となっている。
【００１４】
図４には連結具１０の上に、新たなろうそく立てカップ３０を載置する例を示す。
ろうそく立てカップ３０は、溶け落ちたろうを受けるカップ状になっていて、ろう受け部３１の中央部にろうそく立てピン３２を有している。
ろうそく立てカップ３０は、連結具１０の上に載置できるようになっているとともに、防風筒２０の内側に入るような大きさになっている。
ろうそく立てカップ３０を連結具１０に載置した状態を図４（ｂ）に示す。
このように、新たなろうそく立てカップ３０を設けると連結具１０を墓石１から取り外さなくてもろうそく立てカップ３０の汚れを清掃できるのでメンテナンス性が良くなる。
【図面の簡単な説明】
【００１５】
【図１】本考案に係るろうそく立ての構造例を示す。
【図２】連結具を既設ろうそく立て基台に連結した状態を示す。
【図３】防風筒と連結具との嵌合構造例を示す。
【図４】ろうそく立てカップの取り付け例を示す。
【符号の説明】
【００１６】
１        墓石
２        既設ろうそく立て基台
２ａ      埋め込み部
１０      連結具
１０ａ    連結ベース部
１０ｂ    挿入部
１１      中空部
１２      連結ピン
１３      固定具
２０      防風筒
２１      嵌合部
２１ａ    係合開口部
２１ｂ    係止孔
２２      防風部材
２３      通気口
２４      着火口
２５      笠部
３０      ろうそく立てカップ
【図１】
0003142054.tif 000003
【図２】
0003142054.tif 000004
【図３】
0003142054.tif 000005
【図４】
0003142054.tif 000006